(57)【特許請求の範囲】
【請求項１】
電気通信回線（１３）におけるブリッジタップ（４５、５３）の検出のための方法（６５）であって、
電気通信回線の実際の伝達関数（５７）を特徴付ける第１の伝達関数データ（Ｈｌｏｇ）を決定するステップ（７３）と、
第１の伝達関数データ（Ｈｌｏｇ）に応じてブリッジタップ（４５、５３）を検出するステップ（６９）と
を含み、
前記検出するステップの結果（Ｌｔ、Ｌ、ｋ）に基づいて電気通信回線（１３）をシミュレーションするステップ（９７）と、
前記シミュレーションするステップの結果（ＳＨｌｏｇ１、ＳＨｌｏｇ２）を第１の伝達関数データ（Ｈｌｏｇ）と比較することによって、ブリッジタップ（４５、５３）のタイプ（Ｔ）を識別するステップ（９９）と
を含む、方法（６５）。
【請求項２】
ブリッジタップのタイプが、単一線ブリッジタップ（５３）および対線ブリッジタップ（４５）を含み、かつ／またはブリッジタップのタイプ（Ｔ）を識別するステップ（９９）が、検出されたブリッジタップが単一線ブリッジタップ（５３）であるか、または対線ブリッジタップ（９９）であるかの判断を下すステップを含む、請求項１に記載の方法（６５）。
【請求項３】
ブリッジタップ（４５、５３）を検出するステップ（６９）が、検出されたブリッジタップ（４５、５３）の少なくとも１つの特徴、好ましくはブリッジタップ（４５、５３）の長さ（Ｌｔ）を判定するステップを含む、請求項１または２に記載の方法（６５）。
【請求項４】
シミュレーションするステップが、ブリッジタップが対線ブリッジタップ（４５）であると仮定する、電気通信回線（１３）の第１のシミュレーションされた伝達関数（５７ｂ）を特徴付ける第１のシミュレーションされた伝達関数（ＳＨｌｏｇ１）データを計算するステップ（９７）を含み、前記計算するステップ（９７）が、識別されたブリッジタップ（４５、５３）の少なくとも１つの特徴に、好ましくは、識別されたブリッジタップ（４５、５３）の長さ（Ｌｔ）に依存し、ブリッジタップのタイプを前記識別するステップ（９９）が、第１の伝達関数データ（Ｈｌｏｇ）および第１のシミュレーションされた伝達関数データ（ＳＨＬｏｇ１）に依存する、請求項３に記載の方法（６５）。
【請求項５】
方法（６５）が、単一線ブリッジタップ（５３）と仮定する、電気通信回線（１３）の第２のシミュレーションされた伝達関数（５７ｃ）を特徴付ける第２のシミュレーションされた伝達関数データ（ＳＨｌｏｇ２）を計算するステップ（９７）を含み、前記計算するステップ（９７）が、識別されたブリッジタップ（４５、５３）の少なくとも１つの特徴に、好ましくは、識別されたブリッジタップ（４５、５３）の長さ（Ｌｔ）に依存し、ブリッジタップのタイプを前記識別するステップ（９９）が、第２のシミュレーションされた伝達関数データ（ＳＨｌｏｇ２）に依存する、請求項３または４に記載の方法（６５）。
【請求項６】
方法（６５）が、第１の伝達関数データ（Ｈｌｏｇ）に応じて第２の伝達関数データ（Ｅ）を決定するステップ（７５）を含み、第２の伝達関数データ（Ｅ）が、いずれのブリッジタップ（４５、５３）もない電気通信回線（１３）の第２の伝達関数（７９、８１）を特徴付け、ブリッジタップ（４５、５３）を検出するステップ（６９）が、第１の伝達関数データ（Ｈｌｏｇ）および第２の伝達関数データ（Ｅ）に依存する、請求項１から５のいずれか一項に記載の方法（６５）。
【請求項７】
第２の伝達関数データ（Ｅ）を決定するステップ（７５）が、実際の伝達関数（５７）における極大点（７７）を識別するステップと、第２の伝達関数データ（Ｅ）を計算することを補助する点としてこれらの極大点（７７）使用するステップとを含む、請求項６に記載の方法（６５）。
【請求項８】
第２の伝達関数データ（Ｅ）を決定するステップ（７５）が、第２の伝達関数データ（Ｅ）によって特徴付けられる関数を平滑化するステップを含む、請求項７に記載の方法（６５）。
【請求項９】
第２の伝達関数データ（Ｅ）を決定するステップが、第１の伝達関数データ（Ｈｌｏｇ）または第１の伝達関数データ（Ｈｌｏｇ）から導出されるデータを、いずれのブリッジタップ（４５、５７）もない電気通信回線（１３）の伝達関数を表す曲線（７９）にフィッティングするステップを含む、請求項６から８のいずれか一項に記載の方法（６５）。
【請求項１０】
曲線（７９）が指数関数的減衰曲線部を有し、曲線（７９）のフィッティングパラメータが、減衰率（ｋ）および／または長さの値（Ｌ）を含み、長さの値（Ｌ）が電気通信回線（１３）の長さに依存する、請求項９に記載の方法（６５）。
【請求項１１】
ブリッジタップ（４５、５３）を検出するステップ（６９）が、好ましくは第２の伝達関数データ（Ｅ）を第１の伝達関数データ（Ｈｌｏｇ）から引くこと、または第１の伝達関数データ（Ｈｌｏｇ）を第２の伝達関数データ（Ｅ）から引くことにより、２つの伝達関数（５７；７９、８１）の差を計算するステップ（８３）を含む、請求項６から１０のいずれか一項に記載の方法（６５）。
【請求項１２】
第１の伝達関数（５７）および／または第２の伝達関数（７９、８１）に応じて、好ましくは２つの伝達関数データ（Ｅ、Ｈｌｏｇ）の差に応じて、ブリッジタップ（４５、５３）の長さ（Ｌｔ）を計算するステップを含む、請求項６から１１のいずれか一項に記載の方法（６５）。
【請求項１３】
電気通信回線（１３）をシミュレーションするステップ（９７）が、曲線の少なくとも１つのフィッティングパラメータ（Ｌ、ｋ）および／またはブリッジタップ（４５、５３）の計算された長さ（Ｌｔ）に依存する、請求項９から１２のいずれか一項に記載の方法（６５）。
【請求項１４】
電気通信回線（１３）におけるブリッジタップ（４５、５３）の検出のための装置（１７、１９、３９）であって、
電気通信回線（１３）の実際の伝達関数（５７）を特徴付ける第１の伝達関数データ（Ｈｌｏｇ）を決定し（７３）、かつ
第１の伝達関数データ（Ｈｌｏｇ）に応じてブリッジタップ（４５、５３）を検出する（６９）
ように動作可能であり、
前記検出するステップ（６９）の結果に基づいて電気通信回線（１３）をシミュレーションし（９７）、かつ
前記シミュレーション（９７）の結果（ＳＨｌｏｇ１、ＳＨｌｏｇ２）を第１の伝達関数データ（Ｈｌｏｇ）と比較することによって、ブリッジタップ（４５、５３）のタイプ（Ｔ）を識別する（９９）
ように動作可能である、装置（１７、１９、３９）。
【請求項１５】
請求項１から１３のいずれか一項に記載の方法（６５）を実行するように構成され、好ましくはプログラム化されている、請求項１４に記載の装置（１７、１９、３９）。
【請求項１６】
請求項１から１３のいずれか一項に記載の方法（６５）を実行するようにプログラム化されたコンピュータプログラム。
【発明の詳細な説明】
【技術分野】
【０００１】
本発明は、電気通信回線におけるブリッジタップを検出する方法に関する。さらに、本発明は、ブリッジタップを検出するように構成された装置に関し、また電気通信回線におけるブリッジタップを検出する方法を実行するようにプログラムされたコンピュータプログラム製品に関する。
【背景技術】
【０００２】
デジタル加入者回線（ＤＳＬ：ｄｉｇｉｔａｌ  ｓｕｂｓｃｒｉｂｅｒ  ｌｉｎｅ）においてシングルエンド回線テスト（ＳＥＬＴ：ｓｉｎｇｌｅ  ｅｎｄｅｄ  ｌｉｎｅ  ｔｅｓｔｉｎｇ）を実施することが知られている。ＳＥＬＴは、少なくとも場合によっては、加入者回線内のブリッジタップの位置を求められるようにする反射光測定の手順を含む。
【０００３】
ブリッジタップは電気通信回線における枝分かれ部であり、ブリッジタップの第１の端部が電気通信回線内の分岐点に対応する。ブリッジタップの第２の端部は開放されていてもよいし、デジタル加入者回線に属していない装置に接続されていてもよい。たとえばブリッジタップは、たとえば遠隔地のキャビネット内の誤った配線の結果であることがある。ブリッジタップは、企業内の配線において生じることもある。たとえば、ブリッジタップは、ＤＳＬデータ伝送に使用される周波数帯と電話通信に使用される周波数帯を互いに適切に分離するためにＤＳＬスプリッタを使用せずに、ＤＳＬモデムに接続された電気通信回線の部分にアナログまたはＩＳＤＮの電話機器を接続することによって作り出されることがある。
【０００４】
ブリッジタップを含む電気通信回線を運用しているとき、特にブリッジタップがその第２の端部において正しく終端処理されていないと、ブリッジタップの第１の端部および／または第２の端部において望ましくない反射が生じることがある。これらの反射はＤＳＬデータ伝送を妨害するおそれがあるため、ブリッジタップを検出し、外す必要がある。
【０００５】
電気通信回線におけるブリッジタップを検出するための知られている手法では、ブリッジタップのタイプを判定することができない。ブリッジタップは第１のタイプであることがあり、このタイプでは、ブリッジタップは電気通信回線の導体対のうちの両方の導体に接続された２つの電気導体を有する。以下、このタイプのブリッジタップは「対線ブリッジタップ」と呼ばれる。第２のタイプのブリッジタップは、電気通信回線の２つの電気導体のうちの一方に接続された１つだけの導体または線を有する。この第２のタイプのブリッジタップは、これ以降「単一線ブリッジタップ」と呼ばれる。
【０００６】
ブリッジタップを検出するための知られている手法を使用するとき、対線ブリッジタップは、通常はある程度確実に検出される。しかし、単一線ブリッジタップが検出される確度ははるかに劣る。これは、単一線ブリッジタップによる電気通信回線の伝達関数への影響が、対線ブリッジタップよりも小さいためである。
【発明の概要】
【発明が解決しようとする課題】
【０００７】
本発明の課題は、異なるタイプのブリッジタップ、特に対線ブリッジタップおよび単一線ブリッジタップを確実に検出できるようにする方法および装置を提供し、かつ／または検出された各ブリッジタップのタイプを判定することである。この課題は、請求項１に記載の方法、請求項１４に記載のブリッジタップを検出する装置および請求項１６に記載のコンピュータプログラム製品によって解決される。
【課題を解決するための手段】
【０００８】
一実施形態によれば、電気通信回線におけるブリッジタップの検出のための方法が提供され、この方法は、電気通信回線の実際の伝達関数を特徴付ける第１の伝達関数データを決定するステップと、第１の伝達関数データに応じてブリッジタップを検出するステップと、前記検出するステップの結果に基づいて電気通信回線をシミュレーションするステップと、前記シミュレーションするステップの結果を第１の伝達関数データと比較することによって、ブリッジタップのタイプを識別するステップとを含む。前記シミュレーションするステップの結果は、電気通信回線のシミュレーションされた伝達関数を特徴付けるシミュレーションされた伝達関数データを含み得る。
【０００９】
単一線ブリッジタップおよび対線ブリッジタップの伝達関数への影響は極めて類似しているが、ブリッジタップの検出の結果に基づいて電気通信回線をシミュレーションし、シミュレーションの結果を第１の伝達関数データと比較することによって、単一線ブリッジタップと対線ブリッジタップは確実に互いに区別され得る。
【００１０】
好ましい実施形態において、ブリッジタップのタイプは、単一線ブリッジタップおよび対線ブリッジタップを含み、かつ／またはブリッジタップのタイプを識別するステップは、検出されたブリッジタップが単一線ブリッジタップであるか、または対線ブリッジタップであるかの判断を下すステップを含む。
【００１１】
一実施形態において、ブリッジタップを検出するステップは、検出されたブリッジタップの少なくとも１つの特徴、好ましくはブリッジタップの長さを判定するステップを含む。この特徴は、電気通信回線をシミュレーションするためのパラメータとして使用され得る。したがって、少なくとも１つの特徴を判定するステップは、シミュレーションの精度を向上させることを可能にする。ブリッジタップは通常、伝達関数における極小値、いわゆるディップを生じさせる。検出されたブリッジタップの特徴、特にブリッジタップの長さは、伝達関数の周波数軸方向へのこれらのディップの位置を分析することによって判定され得る。
【００１２】
シミュレーションする時点では、ブリッジタップのタイプは分かっていない。したがって、電気通信回線をシミュレーションするステップは、ブリッジタップがある種のタイプを有すると仮定するステップを含んでいてもよい。たとえば、ブリッジタップが単一線ブリッジタップであると仮定され得るか、またはブリッジタップが対線ブリッジタップであると仮定され得る。電気通信回線のシミュレーションの結果を第１の伝達関数データ、すなわち測定された伝達関数と比較することによって、ブリッジタップのタイプに関する仮定が確認され得る。シミュレーションの結果と第１の伝達関数データによって表される第１の伝達関数が極めて類似している場合、仮定は正しいと考えることができ、ブリッジタップの仮定されたタイプは、ブリッジタップの実際のタイプに一致する。しかし、シミュレーションの結果と第１の伝達関数データが互いに異なる場合、ブリッジタップのタイプに関する仮定は正しくないと考えることができ、方法は、電気通信回線に存在するブリッジタップのタイプが、仮定されたタイプとは異なると結論付けることができる。
【００１３】
一実施形態において、ブリッジタップのタイプについての可能性のある仮定ごとにシミュレーションが実施され、可能性のある各仮定に関するシミュレーションの結果が第１の伝達関数データと比較される。この複数の比較の結果は、ブリッジタップのタイプを識別するために使用される。
【００１４】
一実施形態において、シミュレーションするステップは、ブリッジタップが対線ブリッジタップであると仮定する、電気通信回線の第１のシミュレーションされた伝達関数を特徴付ける第１のシミュレーションされた伝達関数データを計算するステップを含み、前記計算するステップは、識別されたブリッジタップの少なくとも１つの特徴に、好ましくは、識別されたブリッジタップの長さに依存し、前記識別するステップが、第１の伝達関数データおよび第１のシミュレーションされた伝達関数データに依存する。特に、第１の伝達関数データと、第１のシミュレーションされた伝達関数データとが、ブリッジタップのタイプを識別するために互いに比較され得る。
【００１５】
好ましくは、方法は、ブリッジタップが単一線ブリッジタップであると仮定する、電気通信回線の第２のシミュレーションされた伝達関数を特徴付ける第２のシミュレーションされた伝達関数データを計算するステップを含むことができ、前記計算するステップは、識別されたブリッジタップの少なくとも１つの特徴に、好ましくは、識別されたブリッジタップの長さに依存し、前記識別するステップは、第２のシミュレーションされた伝達関数データに依存する。言い換えれば、ブリッジタップのタイプは、第１のシミュレーションされた伝達関数データ、第２のシミュレーションされた伝達関数データおよび第１の伝達関数データに応じて識別される。一実施形態において、第１のシミュレーションされた伝達関数データは第１の伝達関数データと比較され、第２のシミュレーションされた伝達関数データは第１の伝達関数データと比較される。これらの２つの比較に基づいて、ブリッジタップのタイプが識別され得る。たとえば、方法は、シミュレーションされた伝達関数のいずれが、第１の伝達関数データによって表される電気通信回線の実際の伝達関数により類似しているかについて判断を下すことができる。第１の伝達関数データによって表される実際の伝達関数が、第２のシミュレーションされた伝達関数よりも第１のシミュレーションされた伝達関数に類似している場合、方法は対線ブリッジタップと識別することができる。第１の伝達関数データによって表される実際の伝達関数が、第１のシミュレーションされた伝達関数よりも第２のシミュレーションされた伝達関数に類似している場合、方法は、ブリッジタップが単一線ブリッジタップであると判断を下すことができる。
【００１６】
一実施形態において、方法は、第１の伝達関数データに応じて第２の伝達関数データを決定するステップを含み、第２の伝達関数データは、いずれのブリッジタップもない電気通信回線の伝達関数を特徴付け、ブリッジタップの検出は、第１の伝達関数データおよび第２の伝達関数データに依存する。第２の伝達関数データを決定することによって、実際の伝達関数は、ブリッジタップが存在しない場合を表す第２の伝達関数データに関連付けられ得る。結果的に、ブリッジタップの伝達関数への影響が導出され得る。
【００１７】
一実施形態において、第２の伝達関数データを決定するステップは、実際の伝達関数における極大点を識別するステップと、たとえば識別された極大点同士をつなぐことによって第２の伝達関数データを計算することを補助する点として、これらの極大点を使用するステップとを含む。ブリッジタップは極小値（ディップ）をもたらすので、第２の伝達関数を計算することを補助する点として、通常は極小値間に位置する極大点を使用するステップは、ブリッジタップを有しない電気通信回線の伝達関数のかなり良好な近似値をもたらす。
【００１８】
近似値をさらに良好にするために、第２の伝達関数データを決定するステップは、第２の伝達関数データによって特徴付けられる関数を平滑化するステップを含むことができる。この目的のために、第２の伝達関数データは、たとえばローパスフィルタによってフィルタリングされ得る。
【００１９】
別の実施形態において、第２の伝達関数データを決定するステップは、第１の伝達関数データまたは第１の伝達関数データから導出されるデータを、いずれの障害もない、特にいずれのブリッジタップもない電気通信回線の伝達関数を表す曲線にフィッティングするステップを含む。伝達関数を表す曲線は、伝達関数の数学的モデルに対応し得る。たとえば、第１の伝達関数データを曲線にフィッティングするステップは、曲線が、第１の伝達関数データによって表される伝達関数の最適な近似値を表すように、数学的モデルのフィッティングパラメータを適合させるステップを含むことができる。これらの最適フィッティングパラメータを見いだすために、知られている回帰方法、特に非線形回帰方法が適用され得る。第１の伝達関数データから導出される前記データは、実際の伝達関数データの識別された極大点を補助する点として使用することによって、たとえば、識別された極大点同士をつなぐことによって決定され得る。
【００２０】
好ましい実施形態において、曲線は指数関数的減衰曲線部を有し、曲線のフィッティングパラメータは減衰率および／または長さの値を含み、長さの値は電気通信回線の長さに依存する。これらのフィッティングパラメータは、電気通信回線をシミュレーションするための入力パラメータとして使用され得る電気通信回線の物理的特徴を示す。
【００２１】
一実施形態において、ブリッジタップを検出するするステップは、好ましくは第２の伝達関数データを第１の伝達関数データから引くことによって、または第１の伝達関数データを第２の伝達関数データから引くことによって、２つの伝達関数の差を計算するステップを含む。こうして引くことが、伝達関数の全体的な減衰曲線部が消失した、ブリッジタップの伝達関数への影響を含む差分伝達関数をもたらす。差分伝達関数は、ブリッジタップを検出するためにかなり容易に分析され得る。
【００２２】
好ましい実施形態において、方法は、第１の伝達関数に応じて、または好ましくは差分伝達関数に応じてブリッジタップの長さを計算するステップを含む。差分伝達関数は、第１の伝達関数と第２の伝達関数の差であってもよく、この差は、第１の伝達関数データを第２の伝達関数データから引くことによって、またはその逆に引くことによって計算され得る。ブリッジタップの長さは、一実施形態において、電気通信回線をシミュレーションするためのさらなる入力パラメータとして使用され得る、電気通信回線のさらなる物理的特徴である。
【００２３】
したがって、一実施形態において、電気通信回線をシミュレーションするステップは、曲線の少なくとも１つのフィッティングパラメータおよび／またはブリッジタップの計算された長さに依存する。
【００２４】
別の好ましい実施形態によれば、電気通信回線におけるブリッジタップの検出のための装置が提供され、この装置は、電気通信回線の実際の伝達関数を特徴付ける第１の伝達関数データを決定し、第１の伝達関数データに応じてブリッジタップを検出し、前記検出するステップの結果に基づいて電気通信回線をシミュレーションし、前記シミュレーションするステップの結果を第１の伝達関数データと比較することによって、ブリッジタップのタイプを識別するように動作可能である。
【００２５】
たとえば、装置は、固定アクセスネットワーク用のアクセスノード、たとえばＤＳＬアクセス多重化装置（ＤＳＬＡＭ：ＤＳＬ  Ａｃｃｅｓｓ  Ｍｕｌｔｉｐｌｅｘｅｒ）、顧客の構内のネットワークノード、たとえば固定アクセスネットワークのＤＳＬモデム、または固定アクセスネットワークに接続されるように構成されたモニタリングステーションであってもよい。
【００２６】
一実施形態において、装置は、本発明による方法を実行するように構成、好ましくはプログラムされており、方法の実施形態は本明細書に記載されている。
【００２７】
さらに別の好ましい実施形態によれば、好ましくは記憶媒体であるコンピュータプログラム製品が提供され、前記コンピュータプログラム製品は、コンピュータによって実行されたときに本発明による方法を実行するようにプログラム化されたコンピュータプログラムを含み、方法の実施形態は本明細書に記載されている。記憶媒体はいずれの種類であってもよい。特に記憶媒体は、ＲＯＭもしくはフラッシュメモリなどの半導体メモリ、ＣＤＲＯＭもしくはＤＶＤなどの光学媒体、またはハードディスク、フロッピー(登録商標)ディスクもしくは磁気テープなどの磁気媒体を含み得る。さらに、コンピュータプログラム製品は、通信ネットワーク、たとえばインターネットを介したダウンロードのためにサーバに格納されていてもよい。コンピュータプログラム製品は、本発明による方法を実行するようにプログラムされたコントローラのストレージ要素を含み得る。
【００２８】
本発明の例示的な実施形態およびさらなる利点が図面に示され、以下で詳細に説明されている。
【図面の簡単な説明】
【００２９】
【図１】本発明の好ましい実施形態による電気通信ネットワークを示す図である。
【図２】対線ブリッジタップの概略図である。
【図３】単一線ブリッジタップの概略図である。
【図４】いずれのブリッジタップもない電気通信回線の伝達関数、対線ブリッジタップを有する電気通信回線の伝達関数および単一線ブリッジタップを有する電気通信回線の伝達関数の図である。
【図５】ブリッジタップを検出する方法のフローチャートである。
【図６】対線ブリッジタップのある電気通信回線の測定された伝達関数およびいずれのブリッジタップもない電気通信回線の２つの近似された伝達関数の図である。
【図７】近似された伝達関数のうちの一方を、図６に示す測定された伝達関数から引くことによって得られる差分伝達関数の図である。
【図８】近似された伝達関数のうちの一方を、図６に示す測定された伝達関数から引くことによって得られる差分伝達関数の図である。
【図９】単一線ブリッジタップを生じさせる伝送路終端装置を含む、顧客の構内における企業内の配線の図である。
【図１０】企業内の配線に設置されたときに単一線ブリッジタップを生じさせるさらなる伝送路終端装置の図である。
【発明を実施するための形態】
【００３０】
説明および図面は本発明の原理を示しているにすぎない。したがって、本明細書において明示的に説明も図示もされていないが、本発明の原理を具現化し、その趣旨および範囲に含まれるさまざまな構成を当業者が考案できるようになることが認識されよう。さらに、本明細書において挙げられるすべての例は、主として、本発明の原理および本発明者が当技術分野の発展に寄与した概念についての読者の理解を助ける教示目的のものにすぎないことが明確に意図されており、そのような具体的に挙げられる例および条件に限定されないものとして解釈されるべきである。さらに、本発明の原理、態様、および実施形態、ならびにその具体的な例を挙げる、本明細書におけるあらゆる記述は、その均等物を包含することが意図されている。
【００３１】
図１は、電気通信回線１３を含む通信ネットワーク１１を示す。電気通信回線１３は電気導体１５ａ、１５ｂの対１５を含み、対１５の第１の端部１６はネットワーク１１のネットワーク側終端ノードに接続されており、このノードはこれ以降アクセスノード１７と呼ばれ、また、対１５の第２の端部１８はネットワーク１１の端末側終端ノード１９に接続されている。端末側終端ノード１９は、ネットワーク１１の顧客構内機器（ＣＰＥ２１）の一部であり得る。
【００３２】
図示された実施形態では、電気通信回線１３はＡＤＳＬやＶＤＳＬなどのデジタル加入者回線（ＤＳＬ）である。結果的に、アクセスノード１７は、ＤＳＬアクセス多重化装置（ＤＳＬＡＭ）または別のタイプのＤＳＬアクセスノードであり得る。端末側終端ノード１９は、ＤＳＬモデムであってもよく、またはＤＳＬモデムを含んでいてもよい。ただし、本発明はＤＳＬには限定されない。別の実施形態において、ネットワーク１１は異なるタイプの電気通信回線１３を含む。
【００３３】
アクセスノード１７は、対１５の第１の端部１６が接続された第１のモデム回路２３を有する。さらに、アクセスノード１７は、アクセスノード１７の動作を制御するように構成された第１のコントローラ２５を有する。一実施形態において、第１のコントローラ２５は、プロセッサ２７、たとえばマイクロプロセッサと、ストレージ要素２９、たとえば半導体メモリとを含むプログラム可能なコンピュータである。
【００３４】
端末側終端ノード１９は、対１５の第２の端部１８が接続された第２のモデム回路３３を含む。さらに、端末側終端ノード１９は第２のコントローラ３１を含む。第２のコントローラ３１は、第１のコントローラ２５と同じ基本構成を有していてもよく、すなわち、第２のコントローラ３１は、プログラム可能なコンピュータであってもよく、プロセッサ２７および／またはストレージ要素２９を含んでいてもよい。
【００３５】
図示された実施形態では、対１５の少なくとも一部は、バインダ３５の一部であり、少なくとも１つのさらなる電気通信回線３６に並行して延在している。それぞれのさらなる回線３６は、さらに別の導体対３７を含む。バインダ３５は、導電性、好ましくは金属性の、図１に描かれているように接地されていてもよい遮蔽３８を含み得る。
【００３６】
さらに、ネットワーク１１はオプションのモニタリングステーション３９を含んでいてもよく、このステーション３９は、たとえば相互接続ネットワーク４１を介してノード１７、１９の少なくとも一方に接続されて、ノード１７、１９の少なくとも一方、好ましくはアクセスノード１７と通信できるようになっている。ステーション３９は第３のコントローラ４３を含む。第３のコントローラ４３は、第１のコントローラ２５と同じ基本構成を有していてもよく、すなわち、第３のコントローラ４３は、プログラム可能なコンピュータであってもよく、プロセッサ２７および／またはストレージ要素２９を含んでいてもよい。例示的な一実施形態では、ステーション３９は、サーバコンピュータ、パーソナルコンピュータ、ＰＤＡまたは携帯電話などのハンドヘルドコンピュータなどであってもよい。一実施形態において、測定データの収集および処理は、携帯電話やラップトップでは行われず、プラットフォームサーバによって行われ得る。本実施形態において、電話は、収集および処理の結果をサーバから読み出すことができるクライアントである。
【００３７】
コントローラ２５、３１または４３のうちの少なくとも１つは、電気通信回線１３における、特に導体１５ａ、１５ｂの対１５におけるブリッジタップを検出する本明細書に記載の方法を実行するように構成されている。この目的のために、コントローラ２５、３１、４３のうちの少なくとも１つが、コンピュータプログラムを動作させたときに方法を実行するようにプログラム化されたコンピュータプログラムが提供されてもよい。言い換えれば、方法は、アクセスノード１７、ステーション３９、または端末側終端ノード１９で実行され得る。コンピュータプログラムは、少なくとも１つのストレージ要素２９に格納されていてもよい。さらに、コンピュータプログラムは、磁気ディスクもしくは光学ディスクまたは半導体電荷媒体（ｓｅｍｉｃｏｎｄｕｃｔｏｒｓ  ｃｈａｒｇｅ  ｍｅｄｉａ）などの任意のタイプのデータ記憶媒体に記憶されていてもよい。さらに、プログラムは、ネットワーク、好ましくはインターネットを介した伝送でサーバによって提供されてもよい。
【００３８】
図２は、対線タイプのブリッジタップの場合の電気通信回線１３を示す。この対線ブリッジタップ４５は、電気通信回線１３の導体対１５の分岐点４７と、対線ブリッジタップ４５の遠位端４９との間に延在している。対線ブリッジタップ４５は、通常は対線のさらなる導体対５１を含み、このさらなる導体対５１の導体または線がそれぞれ、電気導体１５ａ、１５ｂの一方に接続されている。
【００３９】
電気通信回線１３の導体対１５は長さＬを有する。アクセスノード１７と分岐点４７の間の導体対１５の第１の部分は長さＬ１を有する。分岐点４７と端末側終端ノード１９の間の導体対１５の第２の部分は長さＬ２を有する。全長はこれらの部分の長さの和、すなわちＬ＝Ｌ１＋Ｌ２である。さらなる伝導（ｃｏｎｄｕｃｔｉｏｎ）対５１の長さは、これ以降ブリッジタップの長さと呼ばれ、Ｌｔが付されている。
【００４０】
図３は、単一線タイプのブリッジタップの場合の電気通信回線１３を示す。この単一線ブリッジタップ５３は、導体対１５の電気導体１５ａ、１５ｂの一方に分岐点４７において接続されている単一のさらなる導体５５を有する。単一線ブリッジタップ５３と他の電気導体１５ｂ、１５ａとの間に電気接続は存在しない。図示の例では、単一のさらなる導体５５は、導体対１５の第１の電気導体１５ａに接続されている。図３では、導体対１５の２つの部分の長さＬ１、Ｌ２および単一の有線ブリッジタップ５３の長さＬｔが描かれている。
【００４１】
図４は、３つの異なるシナリオについての通信回線１３の測定された伝達関数を示す。特に、第１の測定された伝達関数５７ａは、いずれのブリッジタップもない伝送路１３に対応する。第２の測定された伝達関数５７ｂは、対線ブリッジタップのある電気通信回線１３に対応する。最後に、第３の測定された伝達関数５７ｃは、単一線ブリッジタップのある電気通信回線１３に対応する。測定された伝達関数５７が共通の図に描かれており、この図のＸ軸は周波数をＭＨｚで示し、Ｙ軸は周波数の関数として電気通信回線１３に沿った減衰をｄＢで示す。図４に示された例示的な伝達関数５７は、電気通信回線１３の全長Ｌ＝５００ｍとブリッジタップ４５、５３の長さＬｔ＝２０ｍを表す。
【００４２】
図４から分かるように、伝達関数５７は、電気通信回線１３に少なくとも１つのブリッジタップ４５、５３が存在する場合に限り、極小値５９（いわゆる「ディップ」５９）が規則的な間隔で生じている。したがって、ブリッジタップ４５、５３は、測定された伝達関数５７を分析すること、特に、伝達関数５７が極小値５９をもつかどうかを確認することによって検出され得る。伝達関数５７を表す測定データＨｌｏｇはＤＥＬＴによって読み出され得る。
【００４３】
対線ブリッジタップ４５の場合、電気通信回線１３は、２つの伝搬経路、すなわちアクセスノード１７から端末側終端ノード１９へ直接的に進む直接的経路（矢印６１）を有する。さらには、アクセスノード１７から始まる間接的経路（矢印６３）が、分岐点４７を通って遠位端４９に進み、分岐点４７に戻り、最終的に端末側終端ノード１９で終わっている（図２参照）。
【００４４】
２つの伝搬経路に沿ったある周波数ｆを有する信号の信号伝搬は、以下のフェーザによって表され得る：
直接的経路：
【００４５】
【数１】
0005913744.tif 000002
間接的経路：
【００４６】
【数２】
0005913744.tif 000003
【００４７】
変数γ＝γ（ｆ）は電気通信回線１３の伝搬定数である。フェーザｒ１は直接的経路６１に沿った伝送を表し、フェーザｒ２は間接的経路６３に沿った信号伝搬を表す。電気通信回線１３の伝搬挙動は、これらのフェーザの和によって表される：
【００４８】
【数３】
0005913744.tif 000004
【００４９】
極小値５９は、直接的経路６１と間接的経路６３に沿った信号の相殺的干渉の結果である。極小値の周波数ｆｎは、以下のように計算され得る：
【００５０】
【数４】
0005913744.tif 000005
【００５１】
したがって、測定された伝達関数５７ｂ、５７ｃは、ｃ／４Ｌｔの奇数倍数に対応する周波数において深いディップ５９を示し、式中、ｃは位相速度を意味する。
【００５２】
ブリッジタップ４５、５３を検出する方法の一実施形態では、測定された伝達関数５７における極小値が検出され、方法は、検出された極小値の周波数が少なくとも本質的に前の式（４）に従っているかどうかを確認する。
【００５３】
図３に示されるような単一線ブリッジタップ５３の場合、単一のさらなる導体５５は、表面波の形でエネルギーを伝搬させることが可能である。さらに、単一のさらなる導体５５は、その付近にある他の導体と伝送路を形成することができる（たとえば、接続先の主要伝送路の線、回線１３の付近にある他の線、地面など）。したがって、主要線１５に沿って伝搬するエネルギーの一部はさらなる単一の導体５５に沿っても伝搬し、まさに対線ブリッジタップ４５の場合と同様に、その遠位端４９において反射され得る。しかしながら、導体対１５と単一線ブリッジタップ５５の間の比較的大きいインピーダンス不整合により、また比較的大きい減衰により、上記の相殺的干渉の影響ははるかに小さくなる。結果として、測定された伝達関数５７ｃにおける極小値は、図４にみられるように、対線ブリッジタップをもつ電気通信回線１３に関する測定された伝達関数５７ｂの極小値よりも小さい。
【００５４】
図５は、電気通信回線１３におけるブリッジタップ４５、５３を検出する例示的な方法６５のフローチャートである。方法６５は、測定および分析ブロック６７、ブリッジタップ検出ブロック６９および検出されたブリッジタップのタイプを識別するためのタイプ識別ブロック７１を含む。したがって、方法６５はブリッジタップ４５、５３を検出するだけでなく、ブリッジタップのタイプを識別する、すなわち、ブリッジタップが対線ブリッジタップ４５であるか、または単一線ブリッジタップ５３であるかの判断を下す。
【００５５】
測定および分析ブロック６７は、電気通信回線１３の測定された伝達関数を特徴付ける第１の伝達関数データＨｌｏｇを決定するステップ７３を含む。言い換えれば、第１の伝達関数データＨｌｏｇは、電気通信回線１３の実際の伝達関数５７を表す。たとえば、第１の伝達関数データＨｌｏｇを決定するステップは、デュアルエンド回線テスト（ＤＥＬＴ：Ｄｕａｌ  Ｅｎｄ  Ｌｉｎｅ  Ｔｅｓｔｉｎｇ）を実施することを含み得る。伝達関数５７を特徴付ける測定データＨｌｏｇは、ノード１７および１９の少なくとも一方に格納され得る。第１の伝達関数データＨｌｏｇは、ＳＮＭＰなどの通信プロトコルによってノード１７および／または１９から読み出されてもよい。第１の伝達関数データＨｌｏｇは、伝達関数５７の振幅の複数の値を含んでいることがあり、各振幅値は異なる周波数に対応している。好ましくは、伝達関数５７の振幅の値は対数目盛で表される。第１の伝達関数データはＤＥＬＴを使用して生成され得る。一実施形態において、第１の伝達関数データＨｌｏｇは、アクセスノード１７および端末側終端ノード１９の動作中におけるある段階で生成される。たとえば、第１の伝達関数データＨｌｏｇは、第１のモデム回路２３と第２のモデム回路３３が互いに同期する段階で生成され、ステップ７３がそれらを読み出せるように、アクセスノード１７および／または端末側終端ノード１９に格納され得る。
【００５６】
測定および分析ブロック６７のステップ７５は、第１の伝達関数データＨｌｏｇに応じて第２の伝達関数データＥを決定する。第２の伝達関数データＥは、いずれのブリッジタップ４５、５３もない電気通信回線１３の伝達関数を特徴付ける。言い換えれば、ステップ７５は、ブリッジタップ４５、５３の影響を第１の伝達関数データＨｌｏｇから少なくとも本質的に取り除く。第２の伝達関数データＥによって表される関数は、ブリッジタップのない電気通信回線１３の伝達関数に少なくとも類似しており、そのため、測定された伝達関数５７の包絡線のように見える。
【００５７】
第１の測定データＨｌｏｇおよび第２の伝達関数データＥによって特徴付けられる関数は、例示的なシナリオとして図６に示されている。このシナリオによれば、Ｌ＝５００ｍのＤＳＬ線１３が検討されている。位相速度はｃ＝２・１０８ｍ／ｓであり、減衰率はｋ＝１．４５・１０−６ｍ−１に達し、ブリッジタップ４５、５３の長さはＬｔ＝２０ｍである。対応する測定された伝達関数５７は、２．５ＭＨｚの奇数倍数に対応する規則的な間隔の極小値５９を有する。式（４）を使用すると、ブリッジタップの長さＬｔは
【００５８】
【数５】
0005913744.tif 000006
として計算され得る。
【００５９】
図６における一点鎖線曲線７９および破線曲線８１は、ステップ７５についての２つの異なる例示的な変更形態を用いて計算された第２の伝達関数データＥによって表される伝達関数を示す。
【００６０】
第１の変更形態によれば、ステップ７５は、測定された伝達関数５７の極大点７７を識別することによって第２の伝達関数データを計算する。本実施形態において、極大点７７は、第２の伝達関数データＥを計算することを補助する点として使用される。図６にみられるように、極大点７７は２つの隣り合う極小値５９の間に位置する極大値である。極大点７７は、第１の伝達関数データＨｌｏｇを分析することによって識別され得る。すなわち、第２の伝達関数データによって表される関数は、近傍の極大点７７を互いにつなぐことによって得られる曲線７９に対応する。一実施形態において、極大点７７を補助する点として使用し、かつ／または近傍の極大点を互いにつなぐことによって得られる関数は、ローパスフィルタ処理などの適した数値的方法によって平滑化され得る。たとえば、関数を平滑化するために、指数関数的重み付け移動平均などの移動平均アルゴリズムが使用され得る。図６における曲線７９は、この実施形態に従って第２の伝達関数データを計算したときに得られる。
【００６１】
第２の変更形態によれば、ステップ７５は、第１の伝達関数データＨｌｏｇまたは第１の伝達関数データから導出されたデータ（導出データ）を、いずれのブリッジタップ４５、５３もない電気通信回線１３の伝達関数５７ａを表す曲線８１にフィッティングすることによって第２の伝達関数データＥを決定する。導出データは、極大点７７を補助する点として利用することによって計算されるデータであってもよく、たとえば、前記導出データは、近傍の極大点７７を互いにつなぐことによって取得される曲線７９に対応し得る。言い換えれば、導出データを使用する第２の変更形態による実施形態は、平滑化がフィッティングで置き換えられた上記の第１の変更形態に少なくとも本質的に対応する。すなわち、第２の伝達関数データＥは、極大点７７を互いにつなぎ、次いで、得られた導出データを、いずれのブリッジタップ４５、５３もない電気通信回線１３の伝達関数５７ａを表す曲線８１にフィッティングすることによって取得され得る。
【００６２】
この曲線８１は、任意の数学的モデル、好ましくは、指数関数的減衰曲線部をもつ関数を使用してモデル化され得る。一実施形態において、数学的モデルは、減衰率ｋおよび／またはモデル化されることになる電気通信回線１３の長さに依存する長さの値Ｌなどのフィッティングパラメータを含む。一実施形態において、長さの値Ｌは電気通信回線１３の長さである。例示的な一実施形態において、曲線５７ａは以下の通りモデル化され得る。
ｅ（ｆ，Ｌ）＝２０・ｌｏｇ１０（┃ｅ−γ（ｆ）・Ｌ）┃）  （５）
式中、伝搬定数γは周波数ｆに依存し、以下の通り近似され得る：
【００６３】
【数６】
0005913744.tif 000007
式中、ｃは位相速度（典型的にはｃ＝２ｅ８ｍ／ｓ）である。
【００６４】
第１の伝達関数データＨｌｏｇまたは第１の伝達関数データＨｌｏｇから導出されたデータを、いずれのブリッジタップ４５、５３もない電気通信回線１３の伝達関数を表す曲線ｅ（ｆ，Ｌ）にフィッティングするために、伝達関数データＨｌｏｇまたは第１の伝達関数データＨｌｏｇから導出されるデータによって表される測定された伝達関数５７の包絡線が、モデル化された曲線に類似するように、フィッティングパラメータｋ、Ｌは最適化される。この目的のために、任意の適切な数値的手法が適用され得る。たとえば、非線形回帰などの回帰技術が、フィッティングパラメータｋ、Ｌの推定値に使用され得る。このフィッティングの手法を使用して生成される得られた破線曲線８１が図６に示されている。
【００６５】
ブリッジタップ検出ブロック６９は、電気通信回線１３にブリッジタップ４５、５３が存在するかどうかを判定するために、測定および分析ブロック６７の結果Ｈｌｏｇ、Ｅを使用する。検出ブロック６９のステップ８３は、たとえば各伝達関数データＨｌｏｇとＥの差を計算することによって、第２の伝達関数データＥを第１の伝達関数Ｈｌｏｇから引く。得られる差分伝達関数Ｄは図７および図８に示されている。
【００６６】
検出ブロック６９の分岐８５は、差分伝達関数Ｄが規則的な間隔の極小値５９を有するかどうかを確認する。有する場合（Ｙ）、検出されたブリッジタップのタイプを判定するために、識別ブロック７１のステップが実行される。有しない場合（Ｎ）、方法６５は、電気通信回線１３にはブリッジタップがないと結論付ける（ステップ８７）。
【００６７】
本発明は図示された例示的な検出ブロック６９には限定されないことに留意されたい。検出ブロック６９は異なる形で実施されることがある。たとえば、分岐８５は、規則的な間隔の極小値５９の有無を判定するために、差分伝達関数データＥではなく第１の伝達関数データＨｌｏｇを直接分析することができる。
【００６８】
一実施形態において、識別ブロック７１のステップ９１は、極小値５９の少なくとも１つの特徴、たとえば極小値５９の深さＨや極小値５９の幅Ｗを計算する。一実施形態において、深さＨは、極小値５９における差分伝達関数Ｄの振幅を、差分伝達関数Ｄの最大値の振幅から引くことによって計算される。図示された実施形態では、差分伝達関数Ｄの最大値の振幅は０ｄＢである。したがって、図７に示された第１の極小値５９の深さはＨ＝２２ｄＢである。
【００６９】
少なくとも１つの極小値５９の幅Ｗは、差分伝達関数Ｄの下り勾配における第１の点と上り勾配の第２の点との間の距離を求めることによって計算でき、その両勾配の間には極小値５９が存在する。第１と第２の点は、差分伝達関数Ｄが第１と第２の点においてあらかじめ定義されたレベルをもつように選択されてもよい。図示された実施形態では、このレベルは−３ｄＢである。図７に示された第１の極小値５９のこのいわゆる３ｄＢの幅は、Ｗ＝１，６ＭＨｚである。
【００７０】
単一線ブリッジタップ５３の場合の例示的な差分伝達関数Ｄが図８に示されている。幅Ｗ＝３５０ｋＨｚおよび深さＨ＝６ｄＢは、図７に示された対線ブリッジタップ４５によって生じた極小値５９の深さＨおよび幅Ｗよりもはるかに小さい。
【００７１】
極小値５９の特徴は、事前に定義された閾値と比較されてもよく、この比較の結果に応じて、方法６５は、ブリッジタップが対線ブリッジタップ４５であるか、または単一線ブリッジタップ５３であるかの判断を下すことができる。たとえば、極小値５９の深さと幅に対する閾値ＴｈＨ、ＴｈＷが定義され、計算された深さＨおよび計算された幅Ｗと比較されてもよい。これらの値が各閾値を上回っている場合、すなわちＨ＞ＴｈＨおよびＷ＞ＴｈＷの場合、タイプ識別ブロック７１は、ブリッジタップが対線ブリッジタップ４５であると仮定する。上回っていない場合、単一線ブリッジタップ５３が識別ブロック７１によって仮定される。
【００７２】
別の実施形態によれば、識別ブロック７１は、ブロック６９において検出されたブリッジタップに関する情報に基づいて電気通信回線１３をシミュレーションするステップを含む。たとえば、フィッティングパラメータＬ、ｋおよび／または式（４）を用いて推定されたタップの長さＬｔが、電気通信回線１３をシミュレーションするために使用され得る。このシミュレーションに基づく実施形態では、特徴Ｈ、Ｗを計算し、それらを各閾値ＴｈＨ、ＴｈＷと比較する上記のステップ９１は省略されてもよい。
【００７３】
識別ブロック７１は、ブリッジタップ４５、５３の長さＬｔを推定するステップ９３および伝送路１３をシミュレーションするためのシミュレーションパラメータを決定するステップ９５を含み得る。図示された実施形態では、シミュレーションパラメータは長さの値Ｌおよび減衰率ｋに対応する。これらの値Ｌ、ｋは、上記のフィッティング手順の中で決定され得る。言い換えれば、シミュレーションパラメータのうちの少なくとも１つが、フィッティングパラメータＬ、ｋの少なくとも一方に対応する。
【００７４】
さらに、識別ブロック７１は、伝送路１３をシミュレーションするためのシミュレーションステップ９７を含む。一実施形態において、シミュレーションステップ９７は、対線ブリッジタップ４５を有する電気通信回線１３の第１のシミュレーションされた伝達関数（曲線５７ｂに類似）を特徴付ける第１のシミュレーションされた伝達関数データＳＨｌｏｇ１を計算する。さらに、ステップ９７は、単一線ブリッジタップを有する電気通信回線１３の第２のシミュレーションされた伝達関数（曲線５７ｃに類似）を特徴付ける第２のシミュレーションされた伝達関数データＳＨｌｏｇ２を計算するステップを含むことができる。図示の実施形態では、シミュレーションされた伝達関数データＳＨｌｏｇ１、ＳＨｌｏｇ２の両方が、ブリッジタップ４５、５３の長さＬｔ、回線長の値Ｌおよび／または減衰率ｋに基づいて計算される。一実施形態において、２つのシミュレーションされた伝達関数データＳＨｌｏｇ１、ＳＨｌｏｇ２は、２つの連続するシミュレーション実行によって計算され得る。
【００７５】
一実施形態において、識別ブロック７１は比較ステップ９９を含む。この比較ステップ９９は、第１の伝達関数データＨｌｏｇによって表される測定された伝達関数の極小値５９の少なくとも１つの特徴と、２つのシミュレーションされた伝達関数ＳＨｌｏｇ１とＳＨｌｏｇ２の同じ特徴とを求める。少なくとも１つの特徴は極小値５９の深さＨおよび／または幅Ｗを含み得る。さらに、ステップ９９は、第１の伝達関数データＨｌｏｇによって特徴付けられる測定された伝達関数の少なくとも１つの特徴Ｈ、Ｗを、２つのシミュレーションされた伝達関数ＳＨｌｏｇ１、ＳＨｌｏｇ２の特徴Ｈ、Ｗと比較することによって、ブリッジタップのタイプを判定する。図示された実施形態では、比較ステップ９９は、２つの異なるタイプのブリッジタップ、すなわち対線ブリッジタップ４５と単一線ブリッジタップ５３を区別する。言い換えれば、ステップ９９は、各伝達関数データＨｌｏｇ、ＳＨｌｏｇ１、ＳＨｌｏｇ２によって特徴付けられる伝達関数の特徴Ｈ、Ｗに応じて、伝達関数データＨｌｏｇによって表される測定された伝達関数により類似しているのは第１のシミュレーションされた伝達関数であるか、または第２のシミュレーションされた伝達関数であるかの判断を下す。しかしながら、他の実施形態では、関数同士を比較し、かつ／またはそれらの類似度を決定するための異なる手法が使用され得る。たとえば、数学的類似性尺度が定義され、考慮されるべき対（Ｈｌｏｇ、ＳＨｌｏｇ１）、（Ｈｌｏｇ、ＳＨｌｏｇ２）ごとに計算され得る。
【００７６】
図示された実施形態では、ステップ９９の比較は、たとえば以下の通り実施され得る。測定された極小値の３ｄＢの幅および深さを、それぞれＷＭおよびＨＭとする。対線ブリッジタップ４５の場合の極小値５９のシミュレーションされた深さおよび幅は、それぞれＷＢＴおよびＨＢＴである。単一線ブリッジタップ５３の場合の極小値５９のシミュレーションされた深さおよび幅は、それぞれＷＳＷおよびＨＳＷである。極小値５９の測定されたサイズを表す点と、シミュレーションされたサイズを表す２つの点との間の（Ｗ、Ｈ）空間における距離ｄが測定され得る。距離ｄは、特徴ＷおよびＨの異なるダイナミックレンジを補償するために重み付けされてもよく、以下の通り定義され得る。
【００７７】
【数７】
0005913744.tif 000008
【００７８】
記号αおよびβは使用されることになる重みであり、
α＝ｆｍａｘ−ｆｍｉｎ  （８）
すなわち、伝達関数５７が測定された周波数範囲と、
β＝Ｈｌｏｇｍａｘ−Ｈｌｏｇｍｉｎ  （９）
すなわち、測定された伝達関数５７のダイナミックレンジとして選択され得る。したがって、単一線ブリッジタップ５３は、
ｄ［（ＷＭ，ＨＭ）；（ＷＳＷ，ＨＳＷ）］＜ｄ［（ＷＭ，ＨＭ）；（ＷＢＴ，ＨＢＴ）］  （１０）
である場合に限り、ステップ９９において仮定され得る。
【００７９】
上記の説明は、伝達関数および個々の伝達関数を特徴付ける伝達関数データの両方に当てはまる。用語「特徴付ける」は、この文脈においては、伝達関数が各伝達関数データによって表されるか、または示されることを指摘するために使用される。伝達関数データは、複数の離散的な周波数における伝達関数の複数のサンプルなどの、コンピュータに格納され得るデータであり得る。伝達関数サンプルの振幅は、対数目盛で表現および／または格納されてもよい。結果として、第１の伝達関数データＨｌｏｇおよび第２の伝達関数データＥは測定された伝達関数に依存し、シミュレーションされた伝達関数は、ステップ９７によって生成されたシミュレーションされた伝達関数データＳＨｌｏｇ１、ＳＨｌｏｇ２に依存する。
【００８０】
まとめると、本明細書に記載の方法６５および装置は、電気通信回線１３におけるブリッジタップの存在を確実に検出できるようにするだけでなく、ブリッジタップのタイプの判定を可能にする。あるブリッジタップが単一線ブリッジタップ５３であるかどうかの判断を下すことは、顧客の企業内の配線にネットワークオペレータによって配設されるネットワーク終端回路が単一線ブリッジタップ５３の電気的特徴を有する場合に特に有用である。したがって方法６５は、ネットワーク終端回路と不要なブリッジタップを区別することを可能にする。結果として、現場の技術者に出される間違いの警告および誤りの修復アドバイスが回避され得る。間違いの警告および誤りの修復アドバイスを回避することが、ネットワークオペレータに対する運用費の削減をもたらす。
【００８１】
図９は、壁ソケット１０３に設置された第１の伝送路終端装置１０１を示す。壁ソケット１０３は、典型的には顧客の構内２１に取り付けられている。壁ソケット１０３は、内部ケーブル１０５によって２次ソケット１０７に接続され得る。図９にみられるように、伝送路終端装置１０１は、２つの電気導体１５ａ、１５ｂを互いに接続するＲＣ回路の形態の伝送路終端回路を有する。ただし、第１の電気導体１５ａと、壁ソケット１０３のピンとの間にさらに別の直接的電気接続が存在する。結果として、２つのソケット１０３、１０７を互いに接続する内部ケーブル１０５の線１０９は、単一線ブリッジタップ５３を形成する。図９に示された伝送路終端装置１０１は、フランスで非常によく使用されている。しかし、異なる国では、または異なるネットワークオペレータによって、異なるタイプの伝送路終端装置が適用されることがある。
【００８２】
図１０は、導体対１５の２つの電気導体１５ａと１５ｂの間に接続されたさらなる伝送路終端装置１１１の例を示す。図９に示された伝送路終端装置１０１と同様に、さらなる伝送路終端装置１１１は、電気導体１５ａと１５ｂの間に接続されたＲＣ回路を有する。ただし、電話呼び出し部配線がＲＣ回路の抵抗器ＲとコンデンサＣの間に接続されている。ＤＳＬ帯に属する周波数などの高周波では、コンデンサは短絡として振る舞う。結果として、呼び出し部配線１１３は、顧客の企業内の配線における単一線ブリッジタップ５３を形成する。
【図１】
0005913744.tif 000009
【図２】
0005913744.tif 000010
【図３】
0005913744.tif 000011
【図４】
0005913744.tif 000012
【図５】
0005913744.tif 000013
【図６】
0005913744.tif 000014
【図７】
0005913744.tif 000015
【図８】
0005913744.tif 000016
【図９】
0005913744.tif 000017
【図１０】
0005913744.tif 000018